Podtech/llm-jp-corpus-v4-ja_patent huggingface dataset:
【手続補正書】
【提出日】令和3年11月26日(2021.11.26)
【手続補正１】
【補正対象書類名】特許請求の範囲
【補正対象項目名】全文
【補正方法】変更
【補正の内容】
【特許請求の範囲】
【請求項１】
処置を必要とする患者において、中央部を含む糖尿病黄斑浮腫のない、中等度から重度の非増殖性糖尿病網膜症を処置する方法で使用するための、ＶＥＧＦ受容体ベースのキメラ分子を含む医薬組成物であって、
前記方法は、患者の眼に、前記ＶＥＧＦ受容体ベースのキメラ分子の約２．０ｍｇを約月に１回で５回の用量、それに続き前記ＶＥＧＦ受容体ベースのキメラ分子の約２．０ｍｇを約８週間ごとに１回またはそれ以上の二次用量で投与することを含む、
前記医薬組成物。
【請求項２】
ＶＥＧＦ受容体ベースのキメラ分子は、（１）ＶＥＧＦＲ１のイムノグロブリン様（Ｉｇ）ドメイン２および（２）ＶＥＧＦＲ２のＩｇドメイン３、および（３）多量体化構成要素を含む、請求項１に記載の医薬組成物。
【請求項３】
糖尿病網膜症重症度スケール（ＤＲＳＳ）における少なくとも２ステップの低減をもたらす、請求項１または２に記載の医薬組成物。
【請求項４】
糖尿病網膜症重症度スケール（ＤＲＳＳ）における少なくとも３ステップの低減をもたらす、請求項１または２に記載の医薬組成物。
【請求項５】
患者は：
（ｉ）糖尿病を有する；
（ｉｉ）約８．５のヘモグロビンＡ１ｃを有する；
（ｉｉｉ）約８２の、早期処置糖尿病網膜症研究（ＥＴＤＲＳ）の最高矯正視力（ＢＣＶＡ）スコアを有する；
（ｉｖ）約２４７μｍの中心網膜厚を有する；
（ｖ）４７または５３の糖尿病網膜症重症度スコアを有する；および／または
（ｖｉ）年齢約５６歳である、
請求項１〜４のいずれか１項に記載の医薬組成物。
【請求項６】
患者は、少なくとも約２４週間について治療を受ける、請求項１〜５のいずれか１項に記載の医薬組成物。
【請求項７】
患者は、少なくとも約５２週間について治療を受ける、請求項１〜６のいずれか１項に記載の医薬組成物。
【請求項８】
患者は、ＶＥＧＦ受容体ベースのキメラ分子を少なくとも２４週間について投与され：（ｉ）少なくとも約１．９文字の最高矯正視力における改善；
（ｉｉ）４文字を超える最高矯正視力における低減を経験しない；
（ｉｉｉ）糖尿病黄斑浮腫を発症しない；
（ｉｖ）視力を脅かす合併症を経験しない；
（ｖ）前眼部血管新生を発症しない；
および
（ｖｉ）約１９μｍの中心網膜厚における低減を経験する、
の１つまたはそれ以上を達成する、
請求項１に記載の医薬組成物。
【請求項９】
ＶＥＧＦ受容体ベースのキメラ分子はアフリベルセプトである、請求項１に記載の医薬組成物。
【請求項１０】
アフリベリセプトは、硝子体内注射によって患者の眼に投与される、請求項９に記載の医薬組成物。
【請求項１１】
アフリベリセプト、ヒスチジン緩衝液、糖および界面活性剤を含む、請求項１０に記載の医薬組成物。
【請求項１２】
アフリベリセプトを約４０ｍｇ／ｍＬの濃度で含む、請求項１１に記載の医薬組成物。
【請求項１３】
ＶＥＧＦ受容体ベースのキメラ分子はコンベルセプトである、請求項１に記載の医薬組成物。
【請求項１４】
コンベルセプト、クエン酸緩衝液、ショ糖、ポリソルベートおよびアルギニンを含む、請求項１３に記載の医薬組成物。
【請求項１５】
コンベルセプトを約４０ｍｇ／ｍＬの濃度で含む、請求項１４に記載の医薬組成物。
【請求項１６】
患者はヒトである、請求項９に記載の医薬組成物。
【請求項１７】
処置を必要とする患者において糖尿病網膜症を処置する方法で使用するための、ＶＥＧＦ受容体ベースのキメラ分子を含む医薬組成物であって、
前記方法は、患者の眼に、
（ｉ）前記ＶＥＧＦ受容体ベースのキメラ分子の、約２．０ｍｇの初回用量；
（ｉｉ）前記ＶＥＧＦ受容体ベースのキメラ分子の、前記初回用量の1カ月後の、約２．０ｍｇの二次用量；
（ｉｉｉ）前記ＶＥＧＦ受容体ベースのキメラ分子の、前記二次用量の１か月後の、約２．０ｍｇの三次用量；
（ｉｖ）前記ＶＥＧＦ受容体ベースのキメラ分子の、前記三次用量の８週間後の、約２．０ｍｇの四次用量；そして
（ｖ）前記ＶＥＧＦ受容体ベースのキメラ分子の、前記四次用量の開始後１６週間ごとの、約２．０ｍｇの１回またはそれ以上の用量
を投与することを含む、
前記医薬組成物。
【請求項１８】
ＶＥＧＦ受容体ベースのキメラ分子は、硝子体内注射によって投与される、請求項１７に記載の医薬組成物。
【請求項１９】
ＶＥＧＦ受容体ベースのキメラ分子は、
（１）配列番号２のアミノ酸２７から１２９を含むＶＥＧＦＲ１構成要素；
（２）配列番号２のアミノ酸１３０〜２３１を含むＶＥＧＦＲ２構成要素；および
（３）配列番号２のアミノ酸２３２〜４５７を含む多量体化構成要素
を含む、請求項１８に記載の医薬組成物。
【請求項２０】
ＶＥＧＦ受容体ベースのキメラ分子はアフリベルセプトである、請求項１８に記載の医薬組成物。
【請求項２１】
ＶＥＧＦ受容体ベースのキメラ分子は、
（１）ＶＥＧＦＲ１のイムノグロブリン様（Ｉｇ）ドメイン２；
（２）ＶＥＧＦＲ２のＩｇドメイン３；および
（３）多量体化構成要素
を含む、請求項１８に記載の医薬組成物。
【請求項２２】
ＶＥＧＦ受容体ベースのキメラ分子はコンベルセプトである、請求項１８に記載の医薬組成物。
【請求項２３】
糖尿病網膜症は非増殖性糖尿病網膜症である、請求項２１に記載の医薬組成物。
【請求項２４】
糖尿病網膜症は、中等度から重度の非増殖性糖尿病網膜症である、請求項２１に記載の医薬組成物。
【請求項２５】
糖尿病網膜症は、４７または５３の糖尿病網膜症重症度スケールレベルにより特徴づけられる非増殖性糖尿病網膜症である、請求項２１に記載の医薬組成物。
【請求項２６】
患者は、糖尿病黄斑浮腫または中央部を含む糖尿病黄斑浮腫に罹患していない、請求項２１に記載の医薬組成物。
【請求項２７】
患者は、６９以上のベースライン最高矯正視力（ＢＣＶＡ）ＥＴＤＲＳ文字スコアを有する、請求項２１に記載の医薬組成物。
【請求項２８】
患者の視力は、２０／４０のスネレン視力またはこれより良好であることによって特徴付けられる、請求項２１に記載の医薬組成物。
【請求項２９】
患者はヒトである、請求項２１に記載の医薬組成物。
【請求項３０】
患者は、１８歳以上のヒトである。請求項２１に記載の医薬組成物。
【請求項３１】
患者は：
・網膜血管新生；
・前眼部血管新生（ＡＳＮＶ）；
・硝子体出血；および／または
・牽引性網膜剥離
に罹患していない、請求項２１に記載の医薬組成物。
【請求項３２】
患者は、増殖性糖尿病網膜症に罹患している、請求項２１の医薬組成物。
【請求項３３】
１０ｍＭリン酸ナトリウム、４０ｍＭ塩化ナトリウム、０．０３％ポリソルベート２０、および５％ショ糖、ｐＨ６．２中に、アフリベリセプトを４０ｍｇ／ｍＬ含む、請求項２０に記載の医薬組成物。
【請求項３４】
約５０ｍＬの医薬組成物が投与される、請求項３３に記載の医薬組成物。
【請求項３５】
３０ゲージ、０．５インチ注射針を備えるシリンジを用いる硝子体内注射で投与される、請求項３４に記載の医薬組成物。
【請求項３６】
アフリベリセプトを４０ｍｇ／ｍＬ、ヒスチジン緩衝液、糖および界面活性剤を含む、請求項２０に記載の医薬組成物。
【請求項３７】
クエン酸、ショ糖、アルギニンおよびポリソルベート２０を含む、請求項２２に記載の医薬組成物。
【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
１，１，３−トリクロロ−４，４，４−トリフルオロブタ−１−エンを調製するプロセスであって、
ｉ）第１の金属触媒の存在下で２，４，４，４−テトラクロロ−１，１，１−トリフルオロブタンを加熱して、前記１，１，３−トリクロロ−４，４，４−トリフルオロブタ−１−エンを形成する工程であって、前記加熱が、フッ化水素の非存在下で実施される、プロセス。
【請求項２】
（ｉｉ）１，１，３−トリクロロ−４，４，４−トリフルオロブタ−１−エンを実質的に単離して、少なくとも約９９重量％の１，１，３−トリクロロ−４，４，４−トリフルオロブタ−１−エンの製品を提供する更なる工程を含む、請求項１に記載のプロセス。
【請求項３】
前記第１の金属触媒が、酸化クロム、炭素担持酸化クロム、塩化クロム、及び炭素担持塩化クロムから選択され、そして、前記プロセスが、気相プロセスである、請求項１又は２に記載のプロセス。
【請求項４】
前記第１の金属触媒が、炭素担持酸化クロムであり、そして、
前記プロセスが、
ａ）前記工程ｉ）の反応前に、前記炭素担持酸化クロムをフッ化水素と接触させて、活性化クロム触媒を形成する工程を更に含む、請求項１〜３の何れか一項に記載のプロセス。
【請求項５】
前記工程ａ）の接触が、約２８０℃〜約３２０℃の温度で実施される、請求項４に記載のプロセス。
【請求項６】
前記工程ｉ）の反応が、約１５０℃〜約２００℃の温度で実施される、請求項１〜５の何れか一項に記載のプロセス。
【請求項７】
前記工程ｉ）の反応が、約０ｐｓｉｇ〜約１５０ｐｓｉｇの圧力で実施される、請求項１〜６の何れか一項に記載のプロセス。
【請求項８】
前記第１の金属触媒は、金属ハロゲン化物触媒であり、前記金属ハロゲン化物触媒は、ハロゲン化鉄触媒であり、そして、前記プロセスが、液相プロセスである、請求項１又は２に記載のプロセス。
【請求項９】
前記金属ハロゲン化物触媒が、塩化鉄（ＩＩＩ）である、請求項８に記載のプロセス。
【請求項１０】
前記工程ｉ）の反応が、約７５℃〜約１１５℃の温度で実施される、請求項８又は９に記載のプロセス。
【請求項１１】
前記１，１，３−トリクロロ−４，４，４−トリフルオロブタ−１−エンが、蒸留によって実質的に単離される、請求項２に記載のプロセス。
【請求項１２】
請求項１〜１１の何れか一項に記載のプロセスであって、
（ｉｉｉ）第２の遷移金属触媒の存在下で前記１，１，３−トリクロロ−４，４，４−トリフルオロブタ−１−エンを加熱して、（Ｅ）−１，１，１，４，４，４−ヘキサフルオロブタ−２−エンを形成する工程を更に含む、プロセス。
【請求項１３】
前記第２の遷移金属触媒が、遷移金属酸化物触媒である、請求項１２に記載のプロセス。
【請求項１４】
遷移金属酸化物触媒が、酸化クロム（ＩＩＩ）又は炭素担持酸化クロムである、請求項１３に記載のプロセス。
【請求項１５】
遷移金属酸化物触媒が、酸化クロム（ＩＩＩ）である、請求項１４に記載のプロセス。
【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
近端部及び遠端部を有し、患者の体腔に挿入される可撓性長尺部材と、
前記可撓性長尺部材の前記遠端部に配置される超音波スキャナアセンブリと、
を有する腔内超音波撮像装置であって、前記超音波スキャナアセンブリは、
支持部材と、
可撓性基板と、
前記可撓性基板上に位置されるトランスジューサ領域と、
前記可撓性基板上に位置される制御ロジック領域と、
を有し、前記トランスジューサ領域及び前記制御ロジック領域が互いに半径方向に隔てられ、
該支持部材が前記超音波スキャナアセンブリの内側層を形成し、前記制御ロジック領域が中間層を形成し、且つ、前記移行領域が前記制御ロジック領域の周りに外側層を形成するようにして、前記可撓性基板が前記支持部材の周りに巻き付けられる、腔内超音波撮像装置。
【請求項２】
前記トランスジューサ領域は複数のトランスジューサを有し、前記制御ロジック領域が複数のコントローラを有する、請求項１に記載の腔内超音波撮像装置。
【請求項３】
前記可撓性基板が前記複数のトランスジューサと前記複数のコントローラとの間の通信を容易化する複数の導電路を有する、請求項２に記載の腔内超音波撮像装置。
【請求項４】
前記複数のトランスジューサが複数の容量型微細加工超音波トランスジューサを有する、請求項２に記載の腔内超音波撮像装置。
【請求項５】
前記可撓性基板が前記トランスジューサ領域と前記制御ロジック領域との間に位置される移行領域を更に有する、請求項１に記載の腔内超音波撮像装置。
【請求項６】
前記移行領域が前記可撓性基板を介して第１表面から第２表面まで延びる少なくとも１つのスロットを有する、請求項５に記載の腔内超音波撮像装置。
【請求項７】
前記可撓性基板は該可撓性基板の長手方向の幅を介して延びる中心軸を有し、前記トランスジューサ領域及び前記制御ロジック領域が該中心軸に沿って互いに隣接して重ねられる、請求項１に記載の腔内超音波撮像装置。
【請求項８】
前記トランスジューサ領域及び前記制御ロジック領域が前記中心軸に沿って同軸的に整列される、請求項７に記載の腔内超音波撮像装置。
【請求項９】
前記可撓性基板は長手方向に内側エッジから外側エッジまで延在し、該可撓性基板の近位部分、中央部分及び遠位部分の各々が前記内側エッジから前記外側エッジまで延びる、請求項１に記載の腔内超音波撮像装置。
【請求項１０】
前記制御ロジック領域が前記可撓性基板の前記内側エッジに隣接して位置され、及び／又は、
前記トランスジューサ領域が前記可撓性基板の前記外側エッジに隣接して位置される、請求項９に記載の腔内超音波撮像装置。
【請求項１１】
前記支持部材が、自身を介して延びる管腔を備えた円筒状環体を有する、請求項１に記載の腔内超音波撮像装置。
【請求項１２】
前記支持部材、前記制御ロジック領域及び前記トランスジューサ領域の間に配置される音響裏打ち材料を更に有する、請求項１に記載の腔内超音波撮像装置。
【請求項１３】
腔内超音波撮像装置を組み立てる方法であって、前記方法は、
自身の幅に沿って内側エッジから外側エッジまで延びる中心軸を有する可撓性基板を得るステップと、
超音波トランスジューサ領域及び制御ロジック領域を前記可撓性基板の前記中心軸に沿って横方向に配置するステップと、
支持部材を得るステップと、
前記支持部材を前記可撓性基板の前記内側エッジに沿って配置するステップと、
前記支持部材の周りに前記可撓性基板を層状円筒形状に巻き付けるステップであって、前記制御ロジック領域を前記支持部材の周りに巻き付けることと、前記超音波トランスジューサ領域を前記制御ロジック領域の周りに巻き付けることとを有する、前記巻き付けるステップと、
を有し、
前記制御ロジック領域が前記支持部材から半径方向に隔てられ、前記超音波トランスジューサ領域が前記制御ロジック領域から半径方向に隔てられる、方法。
【請求項１４】
前記超音波トランスジューサ領域及び制御ロジック領域を可撓性基板の中心軸に沿って横方向に配置するステップが、
前記超音波トランスジューサ領域及び前記制御ロジック領域を前記可撓性基板における埋込路内に固定するステップ、
を有する、請求項１３に記載の方法。
【請求項１５】
前記支持部材を可撓性基板の内側エッジに沿って配置するステップが、
前記支持部材を前記可撓性基板の前記制御ロジック領域に隣接して配置するステップ、
を有する、請求項１３に記載の方法。
【手続補正書】
【提出日】令和3年11月18日(2021.11.18)
【手続補正１】
【補正対象書類名】特許請求の範囲
【補正対象項目名】全文
【補正方法】変更
【補正の内容】
【特許請求の範囲】
【請求項１】
対象者における乗り物酔いを軽減するための方法であって、前記方法は前記乗り物酔いの発症を検知するステップを有し、前記発症を検知するステップは、
ビデオ画像のシーケンスを受信するステップと、
フォトプレチスモグラフィ（ＰＰＧ）を使用して前記ビデオ画像のシーケンスから、第１の期間の間、複数の時間ウィンドウにわたって前記対象者の心拍数の測定値を抽出するステップと、
前記測定値における少なくとも１つの傾向を計算するステップと、
前記複数の時間ウィンドウのうちの１つにわたって前記少なくとも１つの傾向がポジティブであり、前記第１の期間にわたってネガティブな傾向が観察されなかったときに、乗り物酔いの存在を判定するステップと、
改善処置を生成するイベントを生成するステップと
を有する、方法。
【請求項２】
前記複数の時間ウィンドウにわたる連続的なポジティブな判定は、乗り物酔いの重症度の増加を示すと解釈される、請求項１に記載の方法。
【請求項３】
前記改善処置は、前記対象者に対して、窓の外を見ること、新鮮な空気を取り入れること、運転スタイルを適合すること、及び呼吸運動を行うことのうちの少なくとも１つを含む提案を提供することを有する、請求項１又は２に記載の方法。
【請求項４】
前記対象者に対して、前記呼吸運動を行うことに関するガイダンスを提供するステップを更に有する、請求項３に記載の方法。
【請求項５】
前記改善処置は、仮想現実システムと連動して使用されるとき、前記仮想現実システムによって表示されるオブジェクトの運動、及び前記仮想現実システムの表示フレームレートのうちの少なくとも一方に変更を適用することを有する、請求項１又は２に記載の方法。
【請求項６】
前記ビデオ画像のシーケンスの分析によって、前記対象者の顔面皮膚のエリアの蒼白度を測定するステップであって、前記分析は、第２の期間にわたって、それぞれ異なる波長の複数の信号の強度における変化を測定することを有する、測定するステップと、
前記強度の比率の経時的変化を判定するステップであって、特定の経時的変化は蒼白度の増加を示す、判定するステップと
を更に有し、
乗り物酔いの発症の判定は、前記エリアにおける蒼白度の増加を判定することを有する、請求項１から５のいずれか一項に記載の方法。
【請求項７】
前記ビデオ画像のシーケンスの分析を使用して呼吸数における変化を測定するステップを更に有し、前記発症の判定は、呼吸性洞性不整脈（ＲＳＡ）の存在を判定することを有し、前記ＲＳＡの存在の判定は、Ｒ−Ｒ間隔と、呼吸によって生じる運動との間の同期を検知することを有する、請求項１から６のいずれか一項に記載の方法。
【請求項８】
前記ビデオ画像のシーケンスの分析を使用して前記対象者の頭部の加速パターンを測定するステップを更に有し、前記発症の判定は、０．１Ｈｚから０．３Ｈｚの間の周波数の反復性加速の存在を判定することを有する、請求項１から７のいずれか一項に記載の方法。
【請求項９】
運動センサを使用して前記対象者の運動のパターンを測定するステップと、
呼吸性洞性不整脈（ＲＳＡ）が存在する時点と前記運動のパターンとの間の時間的な相関関係の存在に応じて乗り物酔いの発症を判定するステップと
を更に有する、請求項７に記載の方法。
【請求項１０】
移動中の対象者における乗り物酔いを軽減するためのシステムであって、前記システムは前記乗り物酔いの発症を検知する処理ユニットを備え、前記処理ユニットは、
前記対象者の皮膚エリアの少なくとも一部分のビデオ画像のシーケンスを受信する入力装置と、
フォトプレチスモグラフィ（ＰＰＧ）を使用して前記ビデオ画像のシーケンスから、第１の期間の間、複数の時間ウィンドウにわたって前記対象者の心拍数の測定値を抽出する生理学的測定ユニットと、
前記測定値における少なくとも１つの傾向を計算する計算ユニットと、
前記複数の時間ウィンドウのうちの少なくとも１つにわたって前記少なくとも１つの傾向がポジティブであり、前記第１の期間にわたってネガティブな傾向が観察されなかったときに、乗り物酔いの存在を判定し、改善処置を生成するトリガイベントを生成する決定ユニットと
を備える、システム。
【請求項１１】
前記対象者に対して、防止処置の提案を提供するコーチングユニットを更に備え、前記提案は、窓の外を見ること、新鮮な空気を取り入れること、及び呼吸運動を行うことのうちの少なくとも１つを含む、請求項１０に記載のシステム。
【請求項１２】
前記生理学的測定ユニットは、第２の期間にわたって、それぞれ異なる波長の複数の信号の強度における変化を測定することによって、前記対象者の顔面皮膚のエリアの蒼白度を測定し、前記強度の比率の経時的変化を判定し、前記比率の前記経時的変化は蒼白度の増加を示し、乗り物酔いの発症の判定は、前記エリアにおける蒼白度の増加を判定することを有する、請求項１０又は１１に記載のシステム。
【請求項１３】
前記生理学的測定ユニットは更に、呼吸数における変化を測定し、乗り物酔いの発症の判定は、呼吸性洞性不整脈（ＲＳＡ）の存在を判定することを有する、請求項１０から１２のいずれか一項に記載のシステム。
【請求項１４】
前記生理学的測定ユニットは更に、前記ビデオ画像のシーケンスの分析を使用して前記対象者の頭部の加速パターンを測定し、前記発症の前記判定は、０．１Ｈｚから０．３Ｈｚの間の周波数の反復性加速の存在を判定することを有する、請求項１０から１３のいずれか一項に記載のシステム。
【請求項１５】
コンピュータ処理システムを実行するときに、前記コンピュータ処理システムに請求項１から９のいずれか一項に記載の方法を実行させる、コンピュータソフトウェア。
【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
近端部及び遠端部を有し、患者の体腔に挿入される可撓性長尺部材と、
前記可撓性長尺部材の前記遠端部に配置される超音波スキャナアセンブリと、
を有する腔内超音波撮像装置であって、前記超音波スキャナアセンブリは、
内側エッジから外側エッジまで延びる幅を持つ可撓性基板と、
前記可撓性基板に埋め込まれる制御領域と、
前記可撓性基板に埋め込まれるトランスジューサ領域と、
を有する、腔内超音波撮像装置において、当該腔内超音波撮像装置は、
前記可撓性基板の前記外側エッジと前記トランスジューサ領域との間に配置されるウインドウ領域を更に有し、前記可撓性基板が巻き取られて、前記制御領域が層状の環状スキャナアセンブリの内側層を形成し、前記トランスジューサ領域が中間層を形成し、前記ウインドウ領域が外側層を形成するようにして当該層状の環状スキャナアセンブリへとなることを特徴とする、腔内超音波撮像装置。
【請求項２】
前記ウインドウ領域が前記可撓性基板の一体化された部分を有する、請求項１に記載の腔内超音波撮像装置。
【請求項３】
前記ウインドウ領域が、前記トランスジューサ領域に隣接して配置されると共に前記可撓性基板の前記外側エッジを定める、請求項２に記載の腔内超音波撮像装置。
【請求項４】
前記ウインドウ領域が内側ウインドウエッジから外側ウインドウエッジまで変化する厚さを有する、請求項１に記載の腔内超音波撮像装置。
【請求項５】
前記ウインドウ領域の厚さは、前記可撓性基板が巻き取られた状態の場合に前記トランスジューサ領域上に位置する領域において最大となる、請求項４に記載の腔内超音波撮像装置。
【請求項６】
前記可撓性基板は該可撓性基板の幅を介して延びる中心軸を有し、前記ウインドウ領域、前記トランスジューサ領域及び前記制御領域が該中心軸に沿って互いに隣接して配置される、請求項１に記載の腔内超音波撮像装置。
【請求項７】
前記可撓性基板は該可撓性基板の前記内側エッジと前記制御領域との間に配置された支持領域を更に有し、前記ウインドウ領域、前記トランスジューサ領域、前記制御領域及び前記支持領域が互いに横方向に隣接して配置される、請求項１に記載の腔内超音波撮像装置。
【請求項８】
前記可撓性基板が巻き取られて、前記支持領域が層状の環状スキャナアセンブリの円筒内腔を画定する最内側の第１の層を形成し、前記制御領域が第２の中間層を形成し、前記トランスジューサ領域が第３の中間層を形成し、前記ウインドウ領域が最外側の層を形成するようにして当該層状の環状スキャナアセンブリへとなる、請求項７に記載の腔内超音波撮像装置。
【請求項９】
前記ウインドウ領域が前記可撓性基板の前記外側エッジから延びるフランジを有する、請求項１に記載の腔内超音波撮像装置。
【請求項１０】
前記可撓性基板が前記ウインドウ領域と前記トランスジューサ領域との間に配置された移行領域を更に有する、請求項１に記載の腔内超音波撮像装置。
【請求項１１】
前記移行領域が、前記可撓性基板の前記トランスジューサ領域及び前記ウインドウ領域の巻き取りであって、別個の入れ子状態の円筒への巻き取りを可能にするように寸法決め及び構成される、請求項１０に記載の腔内超音波撮像装置。
【請求項１２】
腔内超音波撮像装置を組み立てる方法であって、
自身の幅に沿って内側エッジから外側エッジまで延びる中心軸を有する可撓性基板を得るステップと、
超音波トランスジューサ領域、制御領域及びウインドウ領域を前記可撓性基板の前記中心軸に沿って横方向に配置するステップであって、前記ウインドウ領域が前記外側エッジと前記超音波トランスジューサ領域との間に位置される、前記配置するステップと、
前記可撓性基板を層状円筒形状に巻き取るステップであって、前記制御領域が内側層を形成し、前記超音波トランスジューサ領域が中間層を形成し、前記ウインドウ領域が外側層を形成する、前記巻き取るステップと、
を有する、方法。
【請求項１３】
自身を介して延びる内腔を有する支持部材を得るステップと、
前記可撓性基板を巻き取る前に前記支持部材を前記制御領域に隣接して配置するステップと、
を更に有し、
前記可撓性基板を層状円筒形状に巻き取るステップは前記制御領域を前記支持部材の周りに巻き付けるステップを有し、前記制御領域は前記支持部材を囲む内側層を形成し、前記超音波トランスジューサ領域は前記制御領域を囲む中間層を形成し、前記ウインドウ領域が前記超音波トランスジューサ領域を囲む外側層を形成する、請求項１２に記載の方法。
【請求項１４】
前記ウインドウ領域は前記超音波トランスジューサ領域から半径方向に隔てられ、前記超音波トランスジューサ領域は前記制御領域から半径方向に隔てられ、前記制御領域は前記支持部材から半径方向に隔てられる、請求項１３に記載の方法。
【請求項１５】
前記ウインドウ領域は前記超音波トランスジューサ領域から半径方向に隔てられ、前記超音波トランスジューサ領域は前記制御領域から半径方向に隔てられ、前記ウインドウ領域と前記超音波トランスジューサ領域との間に音響整合媒質を挿入するステップを更に有する、請求項１２に記載の方法。
【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
患者のルーメン内に挿入される可撓性細長部材であって、近位部分と遠位部分とを備える、可撓性細長部材と、
前記患者の前記ルーメン内に位置付けられる間、超音波撮像データを取得する、前記遠位部分に配置された超音波撮像アセンブリと、
前記可撓性細長部材の前記遠位部分に配置されるチップ部材とを備える、腔内撮像デバイスにおいて、
前記チップ部材は、前記超音波撮像アセンブリに隣接するキャビティであって、前記チップ部材と前記超音波撮像アセンブリとを結合する接着剤によって充填されるキャビティを備えることを特徴とする、腔内撮像デバイス。
【請求項２】
前記キャビティは、前記チップ部材の近位部分に連結領域を備え、前記キャビティは、前記チップ部材の前記近位部分に、より小さな外径を備える、請求項１に記載の腔内撮像デバイス。
【請求項３】
前記キャビティは、前記近位部分と前記超音波撮像アセンブリとの間で一定の外径を備える、請求項２に記載の腔内撮像デバイス。
【請求項４】
前記キャビティは、前記近位部分から前記超音波撮像アセンブリへ減少する外径を更に備える、請求項２に記載の腔内撮像デバイス。
【請求項５】
前記チップ部材の遠位部分は、前記ルーメンの閉塞部と交差する交差領域を備え、前記交差領域の外径は、前記可撓性細長部材の長手方向軸に沿って減少する、請求項２に記載の腔内撮像デバイス。
【請求項６】
前記チップ部材の前記交差領域は、直線的に減少する外径を備える、請求項５に記載の腔内撮像デバイス。
【請求項７】
前記チップ部材の前記交差領域は、曲線的に減少する外径を備える、請求項５に記載の腔内撮像デバイス。
【請求項８】
前記チップ部材の遠位端部は、当該チップ部材の遠位端部が直線的又は曲線的に減少する外径を備えることによって、前記閉塞部との交差を容易にするような形状に形成されている、請求項５に記載の腔内撮像デバイス。
【請求項９】
前記チップ部材の前記遠位端部は、補強装置を備える、請求項８に記載の腔内撮像デバイス。
【請求項１０】
前記補強装置は、第１の色を有し、前記チップ部材は、第１の色とは異なる第２の色を有する、請求項９に記載の腔内撮像デバイス。
【請求項１１】
前記チップ部材の前記近位部分は、第１の材料を有し、前記チップ部材の遠位部分は、第２の材料を有する、請求項２に記載の腔内撮像デバイス。
【請求項１２】
前記チップ部材の前記遠位部分が前記チップ部材の前記近位部分よりも大きな可撓性を有するように、前記第１の材料は前記第２の材料よりも小さな剛性を有する、請求項１１に記載の腔内撮像デバイス。
【請求項１３】
前記チップ部材の前記近位部分と前記遠位部分との間に移行領域を更に含み、前記移行領域は第１の材料及び第２の材料を有する、請求項１２に記載の腔内撮像デバイス。
【請求項１４】
前記チップ部材は、その内部に延在する、ルーメンに関連した内径を備え、前記内径は、前記ルーメン内に配置された超音波撮像アセンブリの少なくとも一部分に接触する係合機能部を備える、請求項２に記載の腔内撮像デバイス。
【請求項１５】
前記チップ部材は、近位部分と遠位部分とを備え、前記チップ部材の前記近位部分は、前記可撓性細長部材の長手方向軸に沿った一定の外径と変化する肉厚とを備え、前記チップ部材の前記遠位部分は、前記長手方向軸に沿って変化する外径と一定の肉厚とを備え、オプションで、前記チップ部材の前記近位部分の肉厚は、前記チップ部材の前記遠位部分の肉厚よりも大きい、請求項１に記載の腔内撮像デバイス。
【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
患者の身体運動を検知するためのデバイスであって、前記デバイスは、
前記患者を示す画像に対応する深度情報を備える画像データを取得し、異なる視点について前記患者の少なくとも３つの投影画像を生成する投影走査ユニットと、
前記投影画像において前記患者の動きを検知し、それぞれの投影画像において動きが検知されたか否かを示す少なくとも３つの動き検知信号を生成する動き検知ユニットと、
前記動き検知信号の１つ又は複数の組み合わせに基づいて、前記患者の１つ又は複数の身体部位の身体運動を検知及び位置特定する分析ユニットと
を備える、デバイス。
【請求項２】
前記動き検知ユニットは、フレーム差分法及び／又は相関関係をベースとした方法を使用して、前記患者の動きを検知する、請求項１に記載のデバイス。
【請求項３】
前記分析ユニットは、ベッド位置及び／又は向き、カメラの場所、並びに身体の四肢に対応する検知された末端ポイントのうちの任意の１つを備える補助的情報を使用して身体運動を検知する、請求項１又は２に記載のデバイス。
【請求項４】
前記分析ユニットは、動きの領域、動きの方向、動きの速度、動きの頻度、及び動きのパターンのうちの任意の１つを備える運動データを推測する、請求項１から３のいずれか一項に記載のデバイス。
【請求項５】
前記分析ユニットは、検知された前記身体運動を、検知された前記身体運動と医学的状態との間のマッピングに基づいて、前記医学的状態に割り当てる、請求項１から４のいずれか一項に記載のデバイス。
【請求項６】
前記分析ユニットは、予め定められた機能について訓練された及び／又は訓練されるように構成された１つ又は複数の機械学習モデルを備える、請求項１から５のいずれか一項に記載のデバイス。
【請求項７】
前記分析ユニットは、重み係数に従って前記動き検知信号を組み合わせる、請求項１から６のいずれか一項に記載のデバイス。
【請求項８】
前記投影走査ユニットは、異なる角度及び／又は異なるズームレベルから画像を取得する、請求項１から７のいずれか一項に記載のデバイス。
【請求項９】
前記画像データ、前記投影画像、前記運動データ、補助的情報、及び検知された前記身体運動と前記医学的状態との間のマッピングのうちの任意の１つを記憶する記憶ユニットを更に備え、及び／又は、
前記補助的情報を取得するため、及び／又は検知された前記身体運動と前記医学的状態との間のマッピングを取得するために前記分析ユニットによって提供された分析を提示するユーザインタフェースを更に備える、請求項１から８のいずれか一項に記載のデバイス。
【請求項１０】
前記投影走査ユニットは、前記画像及び／又は前記投影画像の１つ又は複数のサブ画像を生成し、前記動き検知ユニットは、前記１つ又は複数のサブ画像から、それぞれのサブ画像において動きが検知されたか否かを示すサブ画像動き検知信号を検知する、請求項１から９のいずれか一項に記載のデバイス。
【請求項１１】
前記投影走査ユニットは、異なる視点について前記１つ又は複数のサブ画像から１つ又は複数の投影サブ画像を生成し、前記動き検知ユニットは、前記１つ又は複数の投影サブ画像から、それぞれの投影サブ画像において動きが検知されたか否かを示す更なる動き検知信号を検知する、請求項１０に記載のデバイス。
【請求項１２】
前記投影走査ユニットは、深度情報を有するか又は有さない、投影画像、サブ画像、及び投影サブ画像のうちの任意の１つを生成する、請求項１から１１のいずれか一項に記載のデバイス。
【請求項１３】
患者の身体運動を検知するためのシステムであって、前記システムは、
前記患者を示す画像に対応する深度情報を備える画像データを取得する深度カメラと、
取得された前記画像データに基づいて前記患者の身体運動を検知するための、請求項１から１２のいずれか一項に記載のデバイスと
を備える、システム。
【請求項１４】
患者の身体運動を検知するための方法であって、前記方法は、
前記患者を示す画像に対応する深度情報を備える画像データを取得し、異なる視点について前記患者の少なくとも３つの投影画像を生成するステップと、
前記投影画像において前記患者の動きを検知し、それぞれの投影画像において動きが検知されたか否かを示す少なくとも３つの動き検知信号を生成するステップと、
前記動き検知信号の１つ又は複数の組み合わせに基づいて前記患者の１つ又は複数の身体部位の身体運動を検知及び位置特定するステップと
を有する、方法。
【請求項１５】
患者の身体運動を検知するためのコンピュータプログラムであって、前記コンピュータプログラムがコンピュータ上で実行されたときに、請求項１４に記載の方法のステップを前記コンピュータに実行させるためのプログラムコード手段を備える、コンピュータプログラム。
【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
物体の拡散強調磁気共鳴（ＭＲ）画像を決定する脂肪抑制拡散画像決定装置であって、
パラレルイメージング法を使用して、前記物体の拡散基準ＭＲ画像を提供する拡散基準画像提供ユニットと、
前記拡散基準ＭＲ画像から脂肪画像を決定する脂肪画像決定ユニットと、
前記物体の拡散強調ＭＲ画像を提供する拡散強調画像提供ユニットと、
前記拡散強調ＭＲ画像及び前記脂肪画像の組み合わせを使用して、脂肪抑制拡散強調ＭＲ画像を決定する脂肪抑制画像決定ユニットと、
を含み、
前記拡散基準画像提供ユニットは、前記物体の前記拡散基準ＭＲ画像の折り返しありの表現を提供し、
前記脂肪画像決定ユニットは、前記拡散基準ＭＲ画像の前記表現から脂肪と水とを分解することによって折り返し除去された脂肪画像を決定し、分解された脂肪成分の折り返しありの表現を前記脂肪画像として決定する、脂肪抑制拡散画像決定装置。
【請求項２】
前記拡散基準画像提供ユニットは、最大２００ｓ／ｍｍ２、好適には最大１００ｓ／ｍｍ２、最も好適には最大５０ｓ／ｍｍ２の拡散パラメータで収集された前記拡散基準ＭＲ画像を提供する、請求項１に記載の脂肪抑制拡散画像決定装置。
【請求項３】
前記拡散強調画像提供ユニットは、それぞれ異なる拡散パラメータを有する前記物体の複数の拡散強調ＭＲ画像を提供し、
前記脂肪抑制画像決定ユニットは、前記脂肪画像を使用して、前記複数の拡散強調ＭＲ画像のそれぞれに対して複数の脂肪抑制拡散強調ＭＲ画像を提供する、請求項１に記載の脂肪抑制拡散画像決定装置。
【請求項４】
前記拡散強調画像提供ユニットは、パラレルイメージング法を使用して、前記拡散強調ＭＲ画像を提供する、請求項１に記載の脂肪抑制拡散画像決定装置。
【請求項５】
前記パラレルイメージング法は、ＳＥＮＳＥを含む、請求項４に記載の脂肪抑制拡散画像決定装置。
【請求項６】
前記脂肪画像決定ユニットは、複素数値の脂肪画像を決定し、
前記拡散基準画像提供ユニットは、複素数値の拡散基準ＭＲ画像を提供する、請求項１に記載の脂肪抑制拡散画像決定装置。
【請求項７】
前記拡散基準画像提供ユニットは、ｋ空間全体をカバーするために複数のショットを使用して、前記拡散基準ＭＲ画像を提供し、
前記複数のショットは、類似のｋ空間軌跡を有し、
前記複数のショットの前記ｋ空間軌跡は、位相エンコード方向にそれぞれ異なるシフトを有する、請求項１に記載の脂肪抑制拡散画像決定装置。
【請求項８】
前記拡散基準画像提供ユニットは、複素数値の画像データに対してエコープラナーイメージング再構成を行い、
前記脂肪画像決定ユニットは、エコープラナーイメージング再構成された前記複素数値の画像データを使用して水と脂肪とのＳＥＮＳＥ分離を使用して、前記脂肪画像を決定する、請求項７に記載の脂肪抑制拡散画像決定装置。
【請求項９】
前記拡散基準画像提供ユニットは、特定のＳＥＮＳＥ短縮因子を有する前記拡散基準ＭＲ画像を提供する、請求項８に記載の脂肪抑制拡散画像決定装置。
【請求項１０】
前記脂肪画像決定ユニットは、前記拡散基準ＭＲ画像の複数の平均値を前記脂肪画像に追加する、請求項９に記載の脂肪抑制拡散画像決定装置。
【請求項１１】
前記拡散強調画像提供ユニットは、折り返し除去前の前記拡散強調ＭＲ画像を提供し、
前記脂肪抑制画像決定ユニットは、折り返しありの前記拡散強調ＭＲ画像から前記脂肪画像を減算し、前記脂肪画像が減算された、折り返しありの前記拡散強調ＭＲ画像を折り返し除去することによって、前記脂肪抑制拡散強調ＭＲ画像を決定する、請求項１に記載の脂肪抑制拡散画像決定装置。
【請求項１２】
物体の拡散基準ＭＲ画像及び拡散強調ＭＲ画像を収集する磁気共鳴スキャナと、
請求項１から１１のいずれか一項に記載の脂肪抑制拡散画像決定装置と、
を含む、物体をイメージングする磁気共鳴イメージングシステム。
【請求項１３】
物体の拡散強調磁気共鳴（ＭＲ）画像を決定する脂肪抑制拡散画像決定方法であって、
パラレルイメージング法を使用して得られる前記物体の拡散基準ＭＲ画像、及び、前記物体の前記拡散基準ＭＲ画像の折り返しありの表現を提供するステップと、
前記拡散基準ＭＲ画像から脂肪画像を決定し、前記拡散基準ＭＲ画像の前記表現から脂肪と水とを分解することによって折り返し除去された脂肪画像を決定し、分解された脂肪成分の折り返しありの表現を前記脂肪画像として決定するステップと、
前記物体の拡散強調ＭＲ画像を提供するステップと、
前記拡散強調ＭＲ画像及び前記脂肪画像の組み合わせを使用して、脂肪抑制拡散強調ＭＲ画像を決定するステップと、
を含む、方法。
【請求項１４】
請求項１から１１のいずれか一項に記載の脂肪抑制拡散画像決定装置を制御するためのコンピュータプログラムであって、
磁気共鳴イメージング装置上で実行される場合に、前記脂肪抑制拡散画像決定装置に、請求項１３に記載の脂肪抑制拡散画像決定方法を実行させるプログラムコード手段を含む、コンピュータプログラム。
【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
医療手技時における流体工学を管理する方法であって、
第１の医療器具を治療部位に挿入することであって、前記第１の医療器具は第１の流体チャネルおよび第２の流体チャネルを有する、ことと、
前記第１の医療器具の前記第１の流体チャネルを通って前記治療部位に灌流を提供することと、
前記第１の医療器具の前記第２の流体チャネルを通って前記治療部位からの吸引を提供することと、
前記灌流および前記吸引の一方の特性を特定することと、
前記特定された特性に基づいて、前記灌流および前記吸引の他方の特性を選択することと、
を含む方法。
【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
呼吸療法システムのための加湿チャンバであって、流体リザーバ内に流体を保持するように構成されており、前記加湿チャンバが、
底部、上壁、および前記底部と前記上壁との間に延びる外側壁と、
前記外側壁から距離を置いて配置される内側壁であって、前記内側壁と前記外側壁との間に壁空洞を形成し、少なくとも部分的に前記流体リザーバを画定する内側壁と、
前記内側壁から前記外側壁に前記壁空洞を横切って延びるガイド部であって、前記壁空洞を通る断熱チャネルを画定するガイド部と、
呼吸ガスを受け入れるためのチャンバ入口であって、前記壁空洞に通じる開口部を備えるチャンバ入口と、
前記壁空洞から前記流体リザーバにガスを流すための経路を提供する流体リザーバ入口と、
呼吸ガスを前記流体リザーバから前記加湿チャンバの外部に送り出すための送出口と、を備え、
前記断熱チャネル、前記流体リザーバ入口、および前記流体リザーバが、前記チャンバ入口と前記送出口との間に延びるチャンバガス流路を提供する、加湿チャンバ。
【請求項２】
前記加湿チャンバが、前記流体リザーバ内の加湿空間の上部を形成する上内壁を備え、前記流体リザーバ入口が前記上内壁を貫通している、請求項１に記載の加湿チャンバ。
【請求項３】
前記加湿チャンバの前記底部、前記内側壁、および前記上内壁が、前記流体リザーバを形成している、請求項２に記載の加湿チャンバ。
【請求項４】
前記加湿チャンバがまた、前記加湿チャンバ内の前記流体に熱を供給するために加熱されるように構成された加熱要素を備える、請求項１〜３のいずれか一項に記載の加湿チャンバ。
【請求項５】
前記チャンバ入口が、前記外側壁を通って前記壁空洞に通じる開口部を備える、請求項１〜４のいずれか一項に記載の加湿チャンバ。
【請求項６】
前記断熱チャネルが前記チャンバ入口と前記流体リザーバ入口との間に螺旋状部分を構成するように、前記ガイド部が構成されている、請求項１〜５のいずれか一項に記載の加湿チャンバ。
【請求項７】
前記ガイド部が、前記壁空洞を通る前記断熱チャネルを画定する少なくとも１つのバッフルを備える、請求項１に記載の加湿チャンバ。
【請求項８】
前記ガイド部が、前記加湿チャンバの前記底部に対して実質的に垂直な向きを有する１つ以上のバッフルを備え、前記１つ以上のバッフルが、前記壁空洞を通る蛇行状ガス流路を画定する、請求項１に記載の加湿チャンバ。
【請求項９】
前記ガイド部が、前記壁空洞を通るガス流路を画定する１つ以上の傾斜バッフルを備える、請求項７に記載の加湿チャンバ。
【請求項１０】
前記１つ以上の傾斜バッフルが、前記壁空洞を通る螺旋状ガス流路を画定する、請求項９に記載の加湿チャンバ。
【請求項１１】
前記螺旋状ガス流路が３周回する、請求項１０に記載の加湿チャンバ。
【請求項１２】
前記内側壁および／または前記外側壁が、透明または半透明である、請求項１〜１１のいずれか一項に記載の加湿チャンバ。
【請求項１３】
前記チャンバ入口が、前記加湿チャンバの前記底部に近接して配置される、請求項１〜１２のいずれか一項に記載の加湿チャンバ。
【請求項１４】
請求項１〜１３のいずれか一項に記載の加湿チャンバを備える、呼吸療法システムのための加湿器。
【手続補正書】
【提出日】令和3年11月16日(2021.11.16)
【手続補正１】
【補正対象書類名】明細書
【補正対象項目名】０１０３
【補正方法】変更
【補正の内容】
【０１０３】
これらに限定はされないが、米国特許第7,939,259号、PCT公報WO 2016/081871、米国仮特許出願第62/597,109号及び米国仮特許出願第62/656,696号を含む、本明細書で言及され、かつ/又は出願データシートに列記されている全ての米国特許、米国特許出願公開、米国特許出願、外国特許、外国特許出願、及び非特許刊行物は、それらの全体を参照により本明細書に組み込む。そのような文書は、本願に記載の発明に関連して使用され得る、例えば刊行物に記載した材料及び方法論を記述し、かつ開示する目的で、参照により組み込むことができる。
本件出願は、以下の態様の発明を提供する。
（態様１）
配列番号：1のアミノ酸1-340と少なくとも80%同一であるアミノ酸配列を含み、K78Dであるアミノ酸位置78の突然変異、並びに31、36、62、63、79、243、252、253、254、331、332、334、及び338からなる群から選択されるアミノ酸位置の少なくとも1つの突然変異を含む単離組換えDNAポリメラーゼであって、位置の特定が野生型DPO4ポリメラーゼ（配列番号：1）に対して相対的であり、該組換えDNAポリメラーゼがポリメラーゼ活性を示す、前記ポリメラーゼ。
（態様２）
前記配列番号：1のアミノ酸1-340と少なくとも85%同一であるアミノ酸配列を含む、態様1記載のポリメラーゼ。
（態様３）
前記アミノ酸位置31の突然変異がC31Sである、態様1又は2記載のポリメラーゼ。
（態様４）
前記アミノ酸位置36の突然変異がR36Kである、態様1又は2記載のポリメラーゼ。
（態様５）
前記アミノ酸位置62の突然変異がV62Kである、態様1又は2記載のポリメラーゼ。
（態様６）
前記アミノ酸位置63の突然変異がE63Rである、態様1又は2記載のポリメラーゼ。
（態様７）
前記アミノ酸位置79の突然変異がE79L、E79D、及びE79Iからなる群から選択される、態様1又は2記載のポリメラーゼ。
（態様８）
前記アミノ酸位置243の突然変異がK243Rである、態様1又は2記載のポリメラーゼ。
（態様９）
前記アミノ酸位置252の突然変異がK252D、K252Q、及びK252Rからなる群から選択される、態様1又は2記載のポリメラーゼ。
（態様１０）
前記アミノ酸位置253の突然変異がR253Qである、態様1又は2記載のポリメラーゼ。
（態様１１）
前記アミノ酸位置254の突然変異がN254K又はN254Dである、態様1又は2記載のポリメラーゼ。
（態様１２）
前記アミノ酸位置331の突然変異がR331D、R331E、R331N、及びR331Lからなる群から選択される、態様1又は2記載のポリメラーゼ。
（態様１３）
前記アミノ酸位置332の突然変異がR332K、R332A、R332Q、及びR332Sからなる群から選択される、態様1又は2記載のポリメラーゼ。
（態様１４）
前記アミノ酸位置334の突然変異がG334N、G334Q、G334F、及びG334Aからなる群から選択される、態様1又は2記載のポリメラーゼ。
（態様１５）
前記アミノ酸位置338の突然変異がS338Y又はS338Fである、態様1又は2記載のポリメラーゼ。
（態様１６）
42、56、76、82、83、86、152、153、155、156、184、187、188、189、190、248、289、290、291、292、293、294、295、296、297、299、300、301、317、321、324、325、及び327からなる群から選択されるアミノ酸位置に少なくとも1つの突然変異をさらに含む、態様1又は2記載のポリメラーゼ。
（態様１７）
アミノ酸位置42、56、76、82、83、86、152、153、155、156、184、187、188、189、190、248、289、290、291、292、293、294、295、296、297、299、300、301、317、321、324、325、及び327の突然変異がA42V、K56Y、M76W、Q82W、Q83G、S86E、K152L又はK152A、I153T又はI153V、A155G、D156R、P184L又はP184Q、G187P、N188Y、I189W又はI189F、T190Y、I248T、V289W、T290K、E291S、D292Y、L293W、D294N、I295S、V296Q、S297Y、G299W、R300S、T301W、K317Q、K321Q、E324K、E325K、及びE327Kである、態様6記載のポリメラーゼ。
（態様１８）
配列番号：3-34のいずれか1記載のアミノ酸配列を含む、単離組換えDNAポリメラーゼ。
（態様１９）
態様1〜18のいずれか1項記載の組換えDNAポリメラーゼを含む組成物。
（態様２０）
少なくとも1つの非天然ヌクレオチドアナログ基質を含む、DNA配列決定システム中に存在する、態様19記載の組成物。
（態様２１）
態様1〜18のいずれか1項記載の改変DPO4型DNAポリメラーゼをコードする改変核酸。
【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
対象物を滅菌するための装置であって、
電気発熱体と熱連通する被加熱ベースを備えた、滅菌対象物を収容するためのチャンバと、
前記チャンバに空気を送り込むように構成された押込空気流装置と、
前記電気発熱体および前記押込空気流装置に電力を供給するように構成された電源回路と、
前記電源回路において前記電気発熱体と直列に配置され、前記被加熱ベースの温度を検出するために前記装置内に配置された、熱機械制御器と、
前記電源回路において前記押込空気流装置と直列に配置され、前記被加熱ベースの温度を検出するために前記装置内に配置された、感熱スイッチと、を備え、
前記装置は、前記電気発熱体が前記電源回路を介して電力を供給されることにより前記被加熱ベースを加熱し、それにより使用時には前記チャンバ内の水を加熱して前記対象物を滅菌するための蒸気を発生させる滅菌モードで動作するように構成され、前記熱機械制御器は、前記熱機械制御器が前記被加熱ベースの第１の所定温度を検出すると、前記電気発熱体への電力供給を遮断することにより前記滅菌モードを終了させるように構成され、  前記装置は、さらに、前記押込空気流装置が前記電源回路を介して電力を供給されることにより前記チャンバに空気を送り込む乾燥モードで動作するように構成され、前記感熱スイッチは、前記感熱スイッチが前記チャンバ内の水の実質的に全てが蒸気に変換されたことを示す前記被加熱ベースの第２の所定温度を検出すると、前記押込空気流装置への電力供給を接続することにより前記乾燥モードを開始させるように構成された、装置。
【請求項２】
前記熱機械制御器と前記感熱スイッチとが、それぞれ独立して、前記被加熱ベースに熱接触して配置された、請求項１に記載の装置。
【請求項３】
前記第１の所定温度も、前記チャンバ内の水の実質的に全てが蒸気に変換されたことを示す、先行する請求項のいずれかに記載の装置。
【請求項４】
前記第１の所定温度が、ちょうど前記水の実質的に全てが蒸気に変換された時点の前記被加熱ベースの温度を示す、請求項３に記載の装置。
【請求項５】
前記熱機械制御器と前記感熱スイッチとが、前記被加熱ベースの異なる部分の温度に対して感応性を有するように構成された、先行する請求項のいずれかに記載の装置。
【請求項６】
前記第１の所定温度が、前記水の実質的に全てが蒸気に変換された時点を示す検出温度よりも高い温度に設定された、請求項１から３または５のいずれかに記載の装置。
【請求項７】
前記第２の所定温度が前記第１の所定温度よりも高い、先行する請求項のいずれかに記載の装置。
【請求項８】
前記第１の所定温度と前記第２の所定温度とが、前記滅菌モードの終了から前記乾燥モードの開始までの間に時間的な遅延が生じるように選択された、先行する請求項のいずれかに記載の装置。
【請求項９】
前記感熱スイッチが、感熱アクチュエータによって作動させられる常開型スイッチを含む、先行する請求項のいずれかに記載の装置。
【請求項１０】
前記チャンバが、前記被加熱ベースと前記電気発熱体との間に配置された放熱板をさらに備える、先行する請求項のいずれかに記載の装置。
【請求項１１】
前記電気発熱体が、円弧形状に配置され、前記円弧形状の第１端および第２端を規定する電気的終端を備え、前記感熱スイッチが、前記電気的終端間で前記被加熱ベースの温度を検出するように構成された、先行する請求項のいずれかに記載の装置。
【請求項１２】
前記押込空気流装置が、前記チャンバの側壁に配置された、先行する請求項のいずれかに記載の装置。
【請求項１３】
前記押込空気流装置が、前記装置が置かれた環境からの空気を前記チャンバに送り込むように構成された、先行する請求項のいずれかに記載の装置。
【請求項１４】
前記押込空気流装置の下流に位置する、空気を前記チャンバの特定の部分に向かわせるための空気方向付け手段をさらに備える、先行する請求項のいずれかに記載の装置。
【請求項１５】
前記空気方向付け手段が、空気の第１の部分を前記チャンバの上側部分に向かわせ、かつ／または、空気の第２の部分を前記チャンバの中央部分に向かわせ、かつ／または、空気の第３の部分を前記チャンバの下側部分に向かわせるように構成された、請求項１４に記載の装置。
【請求項１６】
前記空気方向付け手段が、前記チャンバ内で前記押込空気流装置の下流に配置されて、前記押込空気流装置によって駆動された空気の少なくとも一部分を、使用時の前記チャンバに収容された前記対象物上および／または前記対象物内に直接向かわせる導管を備える、請求項１４に記載の装置。
【請求項１７】
前記被加熱ベースが、水を収容するための窪みを中心に備える、先行する請求項のいずれかに記載の装置。
【請求項１８】
前記チャンバを閉じるように構成された蓋をさらに備える、先行する請求項のいずれかに記載の装置。
【請求項１９】
対象物を前記被加熱ベースから離して支持するための支持構造をさらに備える、先行する請求項のいずれかに記載の装置。
【請求項２０】
前記支持構造が、対象物を前記被加熱ベースから離して支持するために前記チャンバ内に配置された少なくとも１つのトレイ部材を含み、前記少なくとも１つのトレイ部材が、蒸気を通り抜けさせるように構成された少なくとも１つの孔を備える、請求項１９に記載の装置。
【請求項２１】
前記少なくとも１つのトレイ部材が、対象物を支持することを支援する少なくとも１つの支持機能を備え、前記支持機能のうちの１つまたは複数に、該支持機能を貫通する孔が設けられた、請求項２０に記載の装置。
【請求項２２】
前記電源回路において前記押込空気流装置と直列に配置されることにより前記乾燥モードにおいて動作するように構成された追加の電気発熱体をさらに備える、先行する請求項のいずれかに記載の装置。